(57)【特許請求の範囲】
【請求項１】
ボビン内に配設された内蔵モジュールの内部空間を外部に連通して内圧変化を緩和する連通孔が当該内蔵モジュールの側面に開口した電磁弁において、
コアとヨークとを円筒部材で連結して前記内蔵モジュールを形成し、当該内蔵モジュール内にプランジャーを収容するとともに、
前記内蔵モジュールの外周面に対向した前記ボビンの内側面に、前記連通孔と連通し当該ボビンの一端に端部が開口した溝を該ボビンの軸方向に延設して、前記内蔵モジュールの外周面と前記ボビンとの間に外部へ連通する呼吸経路を構成したことを特徴とする電磁弁。
【発明の詳細な説明】
【技術分野】
【０００１】
本発明は、例えば圧力を制御する電磁弁に関する。
【背景技術】
【０００２】
従来、油圧回路にて油圧を制御する際には、図３に示すような電磁弁８０１が用いられていた。（例えば、特許文献１参照。）。
【０００３】
この電磁弁８０１のカバー８１１内には、筒状の樹脂成型品８１２が収容されており、該樹脂成型品８１２には、固定用のブラケット８１３がインサート成型されている。前記樹脂成型品８１２には、前記ブラケット８１３より下方にノズル８１４が形成されており、前記ブラケット８１３より上方にボビン８１５が形成されている。該ボビン８１５には、コイル８１６が巻回されており、ソレノイド８１７が形成されている。
【０００４】
前記ボビン８１５の内側には、前記ソレノイド８１７で励磁されるコア８２１と、該コア８２１の上部に外嵌した連結パイプ８２２と、該連結パイプ８２２に内嵌したヨーク８２３とからなる内臓モジュール８２４が収容されており、この内臓モジュール８２４内には、前記コア８２１に吸引されるプランジャ８２５が上下動自在に収容されている。該プランジャ８２５には、ロッド８２６が挿通した状態で固定されており、前記プランジャ８２５より下方に延出したロッド８２６の先端には、前記ノズル８１４にインサート成型されたシート８２７の弁座穴８２８を開閉する弁部８２９が形成されている。
【０００５】
前記コア８２１には、当該コア８２１の内側と外周部とを連通する連通穴８３１が設けられており、前記ボビン８１５の鍔部８３２には、前記連通穴８３１と外部とを連通する呼吸孔８３３が設けられている。
【０００６】
これにより、前記プランジャ８２５が収容された前記プランジャ室８４１のオイルを、前記連通穴８３１及び前記呼吸孔８３３を介して通流することで、前記プランジャ室８４１内に生じた圧力変化を緩和できるように構成されている。
【特許文献１】特開２００３−２０７０６６号公報
【発明の開示】
【発明が解決しようとする課題】
【０００７】
しかしながら、このような電磁弁８０１にあっては、プランジャ室８４１内のオイルを通流する為の呼吸孔８３３が前記ボビン８１５の鍔部８３２に延設されている。
【０００８】
このため、当該鍔部８３２を厚肉形成しなければならず、前記ボビン８１５が軸方向に長くなってしまい、小型化の阻害要因となっていた。
【０００９】
本発明は、このような従来の課題に鑑みてなされたものであり、呼吸機能を損なうこと無く、小型化を図ることができる電磁弁を提供することを目的とするものである。
【課題を解決するための手段】
【００１０】
前記課題を解決するために本発明の電磁弁にあっては、ボビン内に配設された内蔵モジュールの内部空間を外部に連通して内圧変化を緩和する連通孔が当該内蔵モジュールの側面に開口した電磁弁において、コアとヨークとを円筒部材で連結して前記内蔵モジュールを形成し、当該内蔵モジュール内にプランジャーを収容するとともに、前記内蔵モジュールの外周面に対向した前記ボビンの内側面に、前記連通孔と連通し当該ボビンの一端に端部が開口した溝を該ボビンの軸方向に延設して、前記内蔵モジュールの外周面と前記ボビンとの間に外部へ連通する呼吸経路を構成した。
【００１１】
すなわち、作動時において、内蔵モジュールの内部空間の内圧が高まると、前記内部空間内の圧力が当該内蔵モジュールの側面に開口した連通孔を介して、当該内蔵モジュールの外側に排出される。
【００１２】
このとき、この内蔵モジュールは、ボビンによって周面が覆われているが、該ボビンの内側面には、前記連通孔と連通する溝が形成されており、この溝は、その端部が当該ボビンの一端に開口している。このため、前記連通孔から排出された圧力は、前記溝を介して前記ボビンの一端側より放出される。
【００１３】
一方、作動時において、前記内蔵モジュールの内部空間の内圧が低下した場合、外部の圧力が前記ボビンの一端に開口した前記溝、及び前記内蔵モジュールに形成された前記連通孔を介して、当該内部モジュールの前記内部空間内に供給される。
【００１４】
このため、前記ボビンに、当該ボビンを横断する横穴を設けること無く、前記溝で構成された呼吸経路によって、前記内蔵モジュールの内部空間に生じた内圧変化が緩和される。
【発明の効果】
【００１５】
以上説明したように本発明の電磁弁にあっては、ボビンの内側面に沿って溝を延設して呼吸経路を形成することで、当該ボビン内の内蔵モジュールにおける内部空間に生じた内圧変化を緩和することができる。
【００１６】
このため、前記ボビンの鍔部に横穴を形成して呼吸経路を設ける構造上、当該鍔部を肉厚に形成しなければならなかった従来と比較して、当該ボビンの軸方向の長さ寸法を抑えることができる。
【００１７】
したがって、呼吸機能を損なうこと無く、小型化を図ることができる。
【００１８】
そして、前記呼吸経路は、前記ボビンの内側面に形成された溝によって構成されている。
【００１９】
このため、前記内蔵モジュールと前記ボビンとの間に隙間を形成し、この隙間のみによって前記呼吸経路を形成する場合と比較して、前記ボビン内径面の熱収縮による経路面積の変化に起因した不具合を未然に防止することができる。
【発明を実施するための最良の形態】
【００２０】
以下、本発明の一実施の形態を図面に従って説明する。
【００２１】
図１は、本実施の形態にかかる電磁弁１を示す図であり、該電磁弁１は、例えば自動車の自動変速機における油圧回路で油圧を制御するものである。
【００２２】
この電磁弁１は、円筒状のカバー１１を備えており、該カバー１１内には、筒状の樹脂成型品１２が収容されている。該樹脂成型品１２には、固定用のブラケット１３がインサート成型されており、該ブラケット１３より図１の中下側には、前記カバー１１より下方へ延出するノズル１４が形成されている。また、前記ブラケット１３より図１の中上側には、ボビン１５が形成されており、該ボビン１５には、コイル１６が巻回され、ソレノイド１７が形成されている。
【００２３】
前記ボビン１５内には、先端部が前記ブラケット１３の円形穴２１に内嵌した状態で固定された筒状のコア２２と、該コア２２の上部に形成された上端小径部２３に外嵌した円筒状の連結パイプ２４と、該連結パイプ２４の上端部に下端小径部２５が内嵌した筒状のヨーク２６とが収容されており、該ヨーク２６の上端部は、前記カバー１１に折曲形成された天面２７の位置決め穴２８に位置決めされた状態で固定されている。
【００２４】
これにより、前記ヨーク２６と前記コア２２とは、前記連結パイプ２４で連結されモジュール化されており、前記ボビン１５内に配設された内蔵モジュール３１を構成している。
【００２５】
この内蔵モジュール３１内に形成された内部空間４１には、前記コア２２で吸引されるプランジャ４２が上下動自在に収容されており、このプランジャ４２は、当該プランジャ４２を貫通したロッド４３が軸受け４４，４４を介して、前記コア２２及び前記ヨーク２６に支持されている。
【００２６】
これにより、前記内部空間４１は、前記プランジャ４２が収容されたプランジャ室５１と、該プランジャ４２より上方へ延出した前記ロッド４３が収容される前記ヨーク２６内の上部室５２と、前記プランジャ４２より下方へ延出した前記ロッド４３が収容される前記コア２２内の下部室５３とによって構成されており、該下部室５３には、前記ロッド４３によって押圧される弁体５４が軸受け５５を介して、前記コア２２に上下動自在に収容されている。
【００２７】
該弁体５４の先端部には、テーパ形状の弁部６１が形成されており、該弁部６１は、前記ノズル１４にインサート形成されたシート６２の弁座穴６３を開閉できるように構成されている。
【００２８】
これにより、前記ソレノイド１７への通電が遮断された非通電時には、入力ポート７１からの油圧を受けて前記弁体５４が上動して前記弁座穴６３を開放することで、前記入力ポート７１からの油圧を前記ドレインポート７２から排出し、出力ポート７３からの出力圧を低下する一方、前記ソレノイド１７通電時には、前記プランジャ４２を前記コア２２に吸引し前記弁体５４を下動して当該弁体５４の前記弁部６１で前記弁座穴６３を閉鎖することで、前記入力ポート７１から前記ドレインポート７２への油圧の排出を阻止し、前記入力ポート７１からの油圧を前記出力ポート７３より出力できるように構成されている。
【００２９】
前記ボビン１５内に配設された前記内蔵モジュール３１を構成する前記コア２２には、前記内部空間４１を外部に連通して内圧変化を緩和する為の連通孔８１が壁面に設けられており、該連通孔８１は、当該コア２２の外周面８２に開口している。この連通孔８１が開口した前記コア２２の外周面８２には、周方向に沿って延在する凹部８３が全周に渡って形成されており、前記連通孔８１と前記ボビン１５との間には、前記内部空間４１に連通する前記凹部８３が全周に渡って形成されている。
【００３０】
また、このコア２２を備えた前記内蔵モジュール３１の外周面８２と前記樹脂成型品１２の内周面９１との間には、図２にも示すように、僅かな隙間８５が形成されており、図１に示したように、前記内蔵モジュール３１の下端部が前記ブラケット１３の円形穴２１に位置決めされるとともに、前記内蔵モジュール３１の上端部が前記天面２７の位置決め穴２８で位置決めされることによって、前記内蔵モジュール３１と前記樹脂成型品１２間の隙間が維持されている。
【００３１】
この内蔵モジュール１の外周面８２が対向する前記ボビン１５の内周面９１には、図２にも示したように、前記連通孔８１より幅広の溝９２が当該ボビン１５の軸方向に延設されており、当該溝９２は、前記コア２２の外周面８２に形成された前記凹部８３を介して前記連通孔８１に連通するように構成されている。
【００３２】
この溝９２の上端は、図１に示したように、前記ボビン１５の上端に開口しており、当該溝９２は、前記ボビン１５と前記カバー１１との間に形成された隙間９３、及び前記カバー１１と前記樹脂成型品１２との間に形成された隙間９４を介して、外部に連通するように構成されている。
【００３３】
これにより、前記内蔵モジュール３１の前記内部空間４１は、前記コア２２に形成された前記連通孔８１及び前記凹部８３と、前記ボビン１５に形成された前記溝９２と、前記ボビン１５及び前記カバー１１間の隙間９３と、前記カバー１１及び前記樹脂成型品１２間の隙間９４を介して、大気開放されるように構成されており、前記ボビン１５の前記溝９２は、呼吸経路１０１を形成するように構成されている。
【００３４】
以上の構成にかかる本実施の形態において、プランジャ４２作動時において、内蔵モジュール３１の内部空間４１の内圧が高まった場合には、この内部空間４１内の圧力が当該内蔵モジュール３１の外周面８２に開口した連通孔８１及び凹部８３を介して、当該内蔵モジュール３１の外側に排出される。
【００３５】
このとき、この内蔵モジュール３１は、ボビン１５によって外周面８２が覆われているが、該ボビン１５の内周面９１には、前記連通孔８１と連通する溝９２が形成されており、この溝９２は、その端部が当該ボビン１５の上端に開口している。このため、前記連通孔８１から排出された圧力は、前記溝９２を介して前記ボビン１５の上端側より放出される。
【００３６】
一方、プランジャ４２作動時において、前記内蔵モジュール３１の前記内部空間４１の内圧が低下した場合には、外部の圧力が前記ボビン１５の上端に開口した前記溝９２、及び前記内蔵モジュール３１に形成された前記凹部８３及び前記連通孔８１を介して、当該内部モジュール３１の前記内部空間４１内に供給される。
【００３７】
このように、前記ボビン１５の内周面９１に沿って前記溝９２を延設して前記呼吸経路１０１を形成することで、当該ボビン１５内の前記内蔵モジュール３１における前記内部空間４１に生じた内圧変化を緩和することができる。
【００３８】
このため、前記ボビン１５の鍔部に横穴を形成して呼吸経路を設ける構造上、当該鍔部を肉厚に形成しなければならなかった従来と比較して、当該ボビン１５の軸方向の長さ寸法を抑えることができる。
【００３９】
したがって、呼吸機能を損なうこと無く、小型化を図ることができる。
【００４０】
そして、前記呼吸経路１０１は、前記ボビン１５の内周面９１に形成された前記溝９２によって構成されている。
【００４１】
このため、前記内蔵モジュール３１と前記ボビン１５との間に形成された隙間８５のみによって、前記呼吸経路１０１を形成する場合と比較して、前記ボビン１５内径面の熱収縮による経路面積の変化を防止し、これに起因した不具合を未然に防止することができる。
【００４２】
なお、本実施の形態にあっては、前記内蔵モジュール３１を構成する前記コア２２の外周面８２に、周方向に延在する凹部８３を全周に渡って形成することによって、前記コア２２の連通孔８１がどの方向へ向いて開口しても、前記ボビン１５に形成された前記溝９２と連通するように構成したが、これに限定されるものでは無い。
【００４３】
例えば、前記コア２２の前記連通孔８１に対向する前記ボビン１５の内側面９１に、周方向に延在する凹部を設けても良い。
【００４４】
また、前記コア２２の前記連通孔８１が前記ボビン１５の内側面９１に形成された前記溝９２に対向するように前記コア２２及び前記ボビン１５を位置決めすれば、前記凹部を廃止することもできる。
【図面の簡単な説明】
【００４５】
【図１】本発明の一実施の形態を示す断面図である。
【図２】同実施の形態の要部を拡大した説明図である。
【図３】従来の電磁弁を示す図である。
【符号の説明】
【００４６】
１    電磁弁
１５    ボビン
２２    コア
２６    ヨーク
３１    内蔵モジュール
４１    内部空間
４２    プランジャー
８１    連通孔
８２    外周面
９１    内周面
９２    溝
１０１    呼吸経路
【図１】
0005139147.tif 000002
【図２】
0005139147.tif 000003
【図３】
0005139147.tif 000004